(57)【要約】  【課題】冷蔵庫に設置固定したドライヤー内に挿入配管するキャピラリーチューブの向きを規制することによる異音発生防止と安定した冷却性能を一定に保つことを実現する。  【解決手段】ホルダー１１で水平に保持して固定するドライヤー３とドライヤー３の上方でホルダー１１で固定するキャピラリーチューブ６で構成され、屈曲部１４を持つキャピラリーチューブ６の屈曲位置よりも先端位置が高い位置にあることにより、冷媒循環による異音の発生を防止すると共に安定した冷媒循環を確保し冷却性能を一定に保つことができる。【選択図】図２
2006145054.tif 000002
【特許請求の範囲】
【請求項１】
ホルダーで水平に保持して固定するドライヤーと、前記ドライヤーの上方に前記ホルダーに固定されるキャピラリーチューブとを有し、前記キャピラリーチューブには挿入位置を規定するための屈曲部を備え、前記屈曲部の位置よりも前記キャピラリーチューブ先端が高い位置になるように配置することを特徴とする冷蔵庫。
【請求項２】
キャピラリーチューブの挿入位置を規定するための屈曲部を複数備えたことを特徴とする請求項１に記載の冷蔵庫。
【請求項３】
キャピラリーチューブのドライヤーへの挿入前にドライヤー下端より下方にトラップ形状を形成したことを特徴とする請求項１または２に記載の冷蔵庫。
【請求項４】
ホルダーで垂直に保持して固定するドライヤーと、前記ホルダーに固定されるキャピラリーチューブとを有し、前記キャピラリーチューブには挿入位置を規定するための屈曲部を備え、前記キャピラリーチューブの先端が垂直方向に対して傾斜して配置したことを特徴とする冷蔵庫。
【請求項５】
ホルダーで水平面から傾斜して固定するドライヤーと、前記ホルダーに固定されるキャピラリーチューブとを有し、前記キャピラリーチューブには挿入位置を規定するための屈曲部を備え、前記キャピラリーチューブの先端が前記ドライヤーと平行に配置したことを特徴とする冷蔵庫。
【請求項６】
ドライヤーに挿入したキャピラリーチューブの先端が斜め切断されている請求項１から５のいずれか一項に記載の冷蔵庫。
【発明の詳細な説明】
【技術分野】
【０００１】
本発明は、冷蔵庫において設置固定したドライヤー内に挿入配管するキャピラリーチューブの向きを規制することによる異音発生防止と安定した冷却性能維持に関するものである。
【背景技術】
【０００２】
一般的に冷蔵庫は、この種の冷蔵庫のドライヤーへのキャピラリーチューブの挿入配管はキャピラリーチューブの先端を屈曲させて挿入代管理している（例えば、特許文献１参照）。
【０００３】
図８は、特許文献１に記載された従来の冷蔵庫の冷凍サイクル図、図９は、前記冷凍サイクルにおけるドライヤーへのキャピラリーチューブの挿入配管を示すものである。図８、９に示すように、冷蔵庫に冷媒を循環供給している圧縮機１にコンデンサパイプ２、ドライヤー３、キャピラリーチューブ４、蒸発器５、圧縮機１の順番で配管されており、キャピラリーチューブ４の先端はドライヤー３との配管時に溶接ロー材が流れ込み封止しないようにドライヤー３内に挿入してあるが、キャピラリーチューブ４の先端は屈曲させて挿入代をばらつきなく工程作業中に管理できるよう構成してある。
【特許文献１】実公昭６０−１２３５７０号公報
【発明の開示】
【発明が解決しようとする課題】
【０００４】
しかしながら、上記従来の構成では、ドライヤーの挿入口内表面とキャピラリーチューブの外表面には隙間が存在するためガタツキが生じて、溶接配管固定した場合にキャピラリーチューブの先端方向がドライヤー方向に対して偏向してしまう、キャピラリー先端の曲げ形状もドライヤーの固定方法も作業性優先で決定してドライヤー内に挿入したキャピラリーチューブ先端の向きを適正な向きに管理することができておらず、冷媒の循環により異音が発生したり冷却性能が低下するという課題を有していた。
【０００５】
本発明は、上記従来の課題を解決するもので、設置固定したドライヤー内に挿入配管するキャピラリーチューブ先端の向き・形状を規制することによる異音発生防止と安定した冷却性能を一定に保つことができる冷蔵庫のドライヤーに挿入固定するキャピラリーチューブの曲げ形状と固定方法を提供することを目的とする。
【課題を解決するための手段】
【０００６】
上記従来の課題を解決するために、本発明の冷蔵庫は、ホルダーで水平に保持して固定するドライヤーと、前記ドライヤーの上方に前記ホルダーに固定されるキャピラリーチューブとを有し、前記キャピラリーチューブには挿入位置を規定するための屈曲部を備え、前記屈曲部の位置よりも前記キャピラリーチューブ先端が高い位置になるように配置したものである。
【０００７】
これによって、キャピラリーチューブ先端位置がドライヤー内の高位置に安定して配置するとともに、ドライヤー内のキャピラリーチューブ先端からの冷媒流入がスムーズに行われ、異音発生防止と安定した冷却性能を一定に保つことが可能となる。
【０００８】
また、本発明の冷蔵庫は、ホルダーで垂直に保持して固定するドライヤーと、前記ホルダーに固定されるキャピラリーチューブとを有し、前記キャピラリーチューブには挿入位置を規定するための屈曲部を備え、前記キャピラリーチューブの先端が垂直方向に対して傾斜して配置したものである。
【０００９】
これによって、垂直に保持して固定するドライヤー内のキャピラリーチューブ先端からの冷媒流入がスムーズに行われ、異音発生防止と安定した冷却性能を一定に保つことが可能となる。
【００１０】
また、本発明の冷蔵庫は、ホルダーで水平面から傾斜して固定するドライヤーと、前記ホルダーに固定されるキャピラリーチューブとを有し、前記キャピラリーチューブには挿入位置を規定するための屈曲部を備え、前記キャピラリーチューブの先端が前記ドライヤーと平行に配置したものである。
【００１１】
これによって、水平面から傾斜して固定するドライヤー内のキャピラリーチューブ先端からの冷媒流入がスムーズに行われ、異音発生防止と安定した冷却性能を一定に保つことが可能となる。
【発明の効果】
【００１２】
本発明の冷蔵庫は、設置固定したドライヤー内に挿入配管するキャピラリーチューブの位置を規制することにより、異音発生防止と安定した冷却性能を確保することができる。
【発明を実施するための最良の形態】
【００１３】
請求項１に記載の発明は、ホルダーで水平に保持して固定するドライヤーと、前記ドライヤーの上方に前記ホルダーに固定されるキャピラリーチューブとを有し、前記キャピラリーチューブには挿入位置を規定するための屈曲部を備え、前記屈曲部の位置よりも前記キャピラリーチューブ先端が高い位置になるように配置するものであり、キャピラリーチューブ先端位置がドライヤー内の高位置に安定して配置するとともに、ドライヤー内のキャピラリーチューブ先端からの冷媒流入がスムーズに行われ、異音発生防止と安定した冷却性能を一定に保つことが可能となる。
【００１４】
請求項２に記載の発明は、請求項１に記載の発明において、キャピラリーチューブの挿入位置を規定するための屈曲部を複数備えたことにより、さらにキャピラリーチューブ先端位置がドライヤー内の高位置に安定して配置することができる。
【００１５】
請求項３に記載の発明は、請求項１または２に記載の発明において、キャピラリーチューブのドライヤーへの挿入前にドライヤー下端より下方にトラップ形状を形成したものであり、さらにドライヤー内のキャピラリーチューブ先端からの冷媒流入がスムーズに行われ、異音発生防止と安定した冷却性能を一定に保つことが可能となる。
【００１６】
請求項４に記載の発明は、ホルダーで垂直に保持して固定するドライヤーと、前記ホルダーに固定されるキャピラリーチューブとを有し、前記キャピラリーチューブには挿入位置を規定するための屈曲部を備え、前記キャピラリーチューブの先端が垂直方向に対して傾斜して配置したものであり、垂直に保持して固定するドライヤー内のキャピラリーチューブ先端からの冷媒流入がスムーズに行われ、異音発生防止と安定した冷却性能を一定に保つことが可能となる。
【００１７】
請求項５に記載の発明は、ホルダーで水平面から傾斜して固定するドライヤーと、前記ホルダーに固定されるキャピラリーチューブとを有し、前記キャピラリーチューブには挿入位置を規定するための屈曲部を備え、前記キャピラリーチューブの先端が前記ドライヤーと平行に配置したものであり、水平面から傾斜して固定するドライヤー内のキャピラリーチューブ先端からの冷媒流入がスムーズに行われ、異音発生防止と安定した冷却性能を一定に保つことが可能となる。
【００１８】
請求項６に記載の発明は、請求項１から５のいずれか一項に記載の発明において、ドライヤーに挿入したキャピラリーチューブの先端が斜め切断されたものであり、さらにドライヤー内のキャピラリーチューブ先端からの冷媒流入がスムーズに行われ、異音発生防止と安定した冷却性能を一定に保つことが可能となる。
【００１９】
以下、本発明の実施の形態について、図面を参照しながら説明する。なお、この実施の形態によってこの発明が限定されるものではない。
【００２０】
（実施の形態１）
図１（ａ）および図１（ｂ）は、ドライヤー内のキャピラリーチューブ端部入口部の向きによる冷媒循環挙動を示す図、図２は本発明の実施の形態１における冷蔵庫の水平に保持して固定したドライヤーの側面図を示すものである。
【００２１】
図１（ａ）は、水平に保持して固定したドライヤー３内には先端が水平面に対して上方に向けて固定している本発明のキャピラリーチューブ６の場合の冷媒循環挙動を示すものであり、図１（ｂ）は、先端が水平面に対して下方に向けて固定している従来のキャピラリーチューブ４の場合の冷媒循環挙動を示している。
【００２２】
図２において、ドライヤー３はコンデンサ２とキャピラリーチューブ６とに接続配管されてホルダー１１に水平になるように設置固定されている。前記キャピラリーチューブ６は前記ドライヤー３の上方でホルダー１２に固定してそのまま下方向１３にドライヤー３へ挿入、先端が挿入代管理のための屈曲部１４まで挿入され、水平面に対して上方１５に向くよう溶接固定されている。
【００２３】
以上のように構成された冷蔵庫のドライヤー固定方向とキャピラリーチューブの先端方向について、以下その動作、作用を説明する。
【００２４】
まず、水平に保持して固定したドライヤー３内にはキャピラリーチューブ６が先端を水平面に対して上方に向けて固定してあるため、冷媒が循環して冷却システムが安定してくるとキャピラリーチューブ６の圧力自動調節機能により冷媒７はドライヤー３内で気体層７ａと液体層７ｂに分かれ、境界水位面７ｃがキャピラリーチューブ６のやや上で平衡安定するが、キャピラリーチューブ６は冷媒７を液体層７ｂだけでなく気体層７ａからも吸い込もうとし境界水位面７ｃは陥没７ｄして気体冷媒７ｅはキャピラリーチューブ６の端部内角部６ａを舐めるように鈍角な角度８で吸い込まれていく。キャピラリーチューブ４の先端が下方に向いていると気体冷媒９ｅがキャピラリーチューブ４の端部内角部４ａを舐めるように鋭角な角度１０で吸い込まれて冷媒９による笛吹き異音が発生してしまう、また境界水位面９ｃの陥没９ｅが切れる可能性が高くなり冷媒９の循環状態が不安定になって冷却性能が低下してしまうため、キャピラリーチューブ６の先端は水平面に対して上方に向けて固定する必要がある。
【００２５】
キャピラリーチューブ６の先端は挿入代管理のため屈曲部１４を設けるとともに、ドライヤー３より上方にキャピラリーチューブ６をホルダー１２で固定しているため、ドライヤー３の上方からキャピラリーチューブを巻き込む方向に屈曲部１４を規制することによって、配管溶接時にキャピラリー６の先端方向がばらついたとしてもドライヤー３をホルダー１１に設置した場合、キャピラリーチューブ６先端位置が常に屈曲部１４の位置より高い位置に固定できるようになるため、冷媒循環による異音の発生を防止すると共に安定した冷媒循環を確保し冷却性能を一定に保つことができる。
【００２６】
（実施の形態２）
図３は、本発明の実施の形態２における冷蔵庫の水平に保持して固定したドライヤーの側面図を示すものである。
【００２７】
図３において、ドライヤー３はコンデンサ２とキャピラリーチューブ１６とに接続配管されてホルダー１１に水平になるように設置固定されている。前記キャピラリーチューブ１６は前記ドライヤー３の上方でホルダー１２に固定してから上方向１７にドライヤー３へ挿入、先端が挿入代管理のための屈曲を含めて２箇所の屈曲部１８ａ，１８ｂを設けるとともに、水平面に対して上方１９に向くよう溶接固定されている。
【００２８】
以上のように構成された冷蔵庫のドライヤー固定方向とキャピラリーチューブの先端方向について、以下その動作、作用を説明する。
【００２９】
キャピラリーチューブ１６の先端は挿入代管理のための屈曲を含めて２箇所の屈曲部１８ａ，１８ｂを有しているため、ドライヤー３より上方にキャピラリーチューブ１６をホルダー１２で固定しているが、挿入管理のための第一の屈曲１８ａが作業のし易い開く方向にしても第二以降の屈曲１８ｂでキャピラリーチューブを巻き込む方向に規制することによって、配管溶接時にキャピラリーチューブ１６の先端方向がばらついたとしてもドライヤー３をホルダー１１に設置した場合、キャピラリーチューブ１６先端位置が常に屈曲１４ａ部位置より高い位置に固定できるようになるため、冷媒循環による異音の発生を防止すると共に安定した冷媒循環を確保し冷却性能を一定に保つことができる。
【００３０】
（実施の形態３）
図４は、本発明の実施の形態３における冷蔵庫の水平に保持して固定したドライヤーの側面図を示すものである。
【００３１】
図４において、ドライヤー３はコンデンサ２とキャピラリーチューブ２０とに接続配管されてホルダー１１に水平になるように設置固定されている。前記キャピラリーチューブ２０は前記ドライヤー３の上方でホルダー１２に固定してから一旦ドライヤー３より下方に下ろしてトラップ２１を形成し、その後、先端が挿入代管理のための屈曲部２３まで挿入し水平面に対して上方２４に向くよう溶接固定されている。
【００３２】
以上のように構成された冷蔵庫のドライヤー固定方向とキャピラリーチューブの先端方向について、以下その動作、作用を説明する。
【００３３】
キャピラリーチューブ２０の先端は挿入代管理のための屈曲部２３を有しているが、ドライヤー３より上方にキャピラリーチューブ２０をホルダー１２で固定した後、一旦ドライヤー３より下方に下ろしてトラップ形状２１を形成してあるため、挿入管理のための屈曲部２３を作業のし易い開く方向に規制しても、配管溶接時にキャピラリーチューブ２０の先端方向がばらついたとしてもドライヤー３をホルダー１１に設置した場合、キャピラリーチューブ２０先端位置が常に屈曲部２３の位置より高い位置に固定できるようになるため、冷媒循環による異音の発生を防止すると共に安定した冷媒循環を確保し冷却性能を一定に保つことができる。
【００３４】
（実施の形態４）
図５は、本発明の実施の形態４における冷蔵庫の垂直に保持して固定したドライヤーの側面図を示すものである。
【００３５】
図５において、ドライヤー３はコンデンサ２とキャピラリーチューブ２５とに接続配管されて冷蔵庫本体２８に設けた穴２９に通したバンド３１で垂直になるように設置固定されている。前記キャピラリーチューブ２５も前記ドライヤー３の横で保護フォーム３０を介して前記バンド３１で固定されており、先端が挿入代管理のための屈曲部２６まで挿入して垂直方向に対して偏向２７して傾かせるよう溶接固定されている。
【００３６】
以上のように構成された冷蔵庫のドライヤー固定方向とキャピラリーチューブの先端方向について、以下その動作、作用を説明する。
【００３７】
キャピラリーチューブ２５の先端は挿入代管理のための屈曲部２６まで挿入して先端方向を垂直方向に対して偏向２７して傾いているため、キャピラリーチューブ２５に吸い込まれる冷媒が液体層と気体層に分かれて吸い込まれ易くなるため、冷媒循環による異音の発生を防止すると共に安定した冷媒循環を確保し冷却性能を一定に保つことができる。
【００３８】
（実施の形態５）
図６は、本発明の実施の形態５における冷蔵庫の角度を持たせて固定したドライヤーの側面図を示すものである。
【００３９】
図６において、ドライヤー３はコンデンサ２とキャピラリーチューブ３２とに接続配管されて冷蔵庫本体３６に設けた傾斜したホルダー３５に設置固定されている。前記キャピラリーチューブ３２の先端が挿入代管理のための屈曲部３３まで挿入してドライヤー３方向３４に並行するよう溶接固定されている。
【００４０】
以上のように構成された冷蔵庫のドライヤー固定方向とキャピラリーチューブの先端方向について、以下その動作、作用を説明する。
【００４１】
キャピラリーチューブ３２の先端は挿入代管理のための屈曲部３３を有しているが、挿入部はドライヤー３方向と同じであるため、キャピラリーチューブ３２先端が常に水平面に対して上方を向けて固定できるようになるため、冷媒循環による異音の発生を防止すると共に安定した冷媒循環を確保し冷却性能を一定に保つことができる。
【００４２】
（実施の形態６）
図７は、本発明の実施の形態６における冷蔵庫のキャピラリー先端の側面図を示すものである。
【００４３】
図７において、キャピラリーチューブ３７の先端３７ａは傾斜した切断面を有している。
【００４４】
以上のように構成されたキャピラリーチューブの先端切断面について、以下その動作、作用を説明する。
【００４５】
キャピラリーチューブ３７の先端３７ａを斜め切断することでその開口部の表面積３９は垂直切断した時の開口部の表面積３８よりも増加させることができ、異物による詰りを防止することができる。また冷媒の境界水位面からの距離に差をつけることでキャピラリーチューブ３７に吸い込まれる冷媒が液体層と気体層に分かれて吸い込まれ易くなるため、冷媒循環による異音の発生を防止すると共に安定した冷媒循環を確保し冷却性能を一定に保つことができる。
【産業上の利用可能性】
【００４６】
以上のように、本発明にかかる冷蔵庫は、設置固定したドライヤー内に挿入配管するキャピラリーチューブの向きを規制することによる異音発生防止と安定した冷却性能を一定に保つことが可能となるので、ワインセラー等の冷凍冷蔵機器やエアコン等の空調機器にも適用できる。
【図面の簡単な説明】
【００４７】
【図１】（ａ）本発明の実施の形態１における本発明のキャピラリー端部入口部が上向きのときの冷媒循環挙動を示す図（ｂ）本発明の実施の形態１における従来のキャピラリー端部入口部が下向きのときの冷媒循環挙動を示す図
【図２】本発明の実施の形態１における冷蔵庫の水平に保持して固定したドライヤーの側面図
【図３】本発明の実施の形態２における冷蔵庫の水平に保持して固定したドライヤーの側面図
【図４】本発明の実施の形態３における冷蔵庫の水平に保持して固定したドライヤーの側面図
【図５】本発明の実施の形態４における冷蔵庫の垂直に保持して固定したドライヤーの側面図
【図６】本発明の実施の形態５における冷蔵庫の角度を持たせて固定したドライヤーの側面図
【図７】本発明の実施の形態６における冷蔵庫のキャピラリー先端の側面図
【図８】従来の冷凍サイクル図
【図９】従来の冷凍サイクルにおけるドライヤーへのキャピラリーチューブの挿入配管図
【符号の説明】
【００４８】
３    ドライヤー
６、１６、２０、２５、３２、３７  キャピラリーチューブ
１１、１２、３５  ホルダー
１４、２３、２６、３３  屈曲部
１８ａ、１８ｂ  屈曲部
２１  トラップ形状
３７ａ  斜め切断
【図１】
2006145054.tif 000003
【図２】
2006145054.tif 000004
【図３】
2006145054.tif 000005
【図４】
2006145054.tif 000006
【図５】
2006145054.tif 000007
【図６】
2006145054.tif 000008
【図７】
2006145054.tif 000009
【図８】
2006145054.tif 000010
【図９】
2006145054.tif 000011